(57)【要約】【課題】簡単な構造で作業性よく製造できるとともに、使い勝手よく斜め下方に引き出して使用できるＬ型キッチンキャビネットの引出し構造を提供する。【解決手段】Ｌ型キッチンキャビネット７のコーナー部７２に内設される引出しの構造であって、該引出し構造は前下がりに傾斜して設けられた複数対の左右スライドレール１１、１２と該左右スライドレール１１、１２に係合手段を介してスライド自在に取り付けられる各引出し体２とからなり、上記左右スライドレール１１、１２はその奥側に係止手段が設けられ、その前端部にストッパが設けられるとともに、上記引出し体２を斜め下方に引出したとき係止が解除され、上記ストッパで阻止されるまで引き出せるようにされる。【選択図】図５
2006149726.tif 000002
【特許請求の範囲】
【請求項１】
Ｌ型キッチンキャビネットのコーナー部に内設される引出しの構造であって、該引出し構造は前下がりに傾斜して設けられた複数対の左右スライドレールと該左右スライドレールに係合手段を介してスライド自在に取り付けられる各引出し体とからなり、上記左右スライドレールはその奥側に係止手段が設けられ、その前端部にストッパが設けられるとともに、上記引出し体は斜め下方に引出したとき係止が解除され、上記ストッパで阻止されるまで引き出せるようにされたＬ型キッチンキャビネットの引出し構造。
【請求項２】
上記係止手段が左右スライドレールの奥側に突設された突起部であるとともに、上記ストッパが左右スライドレールの前端部を閉じて形成されたものである請求項１に記載のＬ型キッチンキャビネットの引出し構造。
【請求項３】
上記引出し体が最上段に設けられ、斜め下方に引出し可能とされた請求項１に記載のＬ型キッチンキャビネットの引出し構造。
【請求項４】
上記引出し体の少なくとも一段が斜め下方に引出し可能とされた請求項１に記載のＬ型キッチンキャビネットの引出し構造。
【請求項５】
上記引出し体の全段が斜め下方に引出し可能とされた請求項１に記載のＬ型キッチンキャビネットの引出し構造。
【発明の詳細な説明】
【技術分野】
【０００１】
本発明は、キッチンキャビネットの引出しの構造に関する。さらに詳しくは、Ｌ型キッチンキャビネットのコーナー部に内設される引出し構造に関する。
【背景技術】
【０００２】
近年、キッチンのスペースを有効に利用するとともに、調理作業を手際よく行えるようキッチンのコーナーに沿ってキッチンキャビネットを平面視Ｌ型に配置するＬ型キッチンキャビネットが普及している。このとき、Ｌ型キッチンキャビネットのコーナー部の内部には、通常、引出し等の収納手段が設けられ、コーナー部を収納空間として利用することが行われている。
【０００３】
上記公知のＬ型キッチンキャビネットの平面図を本願図６に、本願図６におけるＢ−Ｂ線に沿う側断面説明図を本願図７に示す。本願図６から明らかなように、上記Ｌ型キッチンキャビネット７はキッチンカウンター７１にレンジ、シンク等を備えるとともに、コーナー部７２の内部には引出し体８が設けられている。上記引出し体８はコーナー部７２を仕切る仕切り板５に設けられた左支持手段９１とＬ型キッチンキャビネット７の背板７３に設けられた右支持手段９２とによってスライド自在に支持され、所要のときは開閉扉６を開いて引出し体８を引き出し、収納物を取り出すようにされている。
【０００４】
このとき、本願図７からよくわかるように、最上段の引出し体８を引き出して収納物を取り出すとき、キッチンカウンター７１の裏面と最上段の引出し体８との間には人の手が入る空間が必要であり、そのためには最上段の引出し体８をキッチンカウンター７１の裏面から寸法ｈの高さを確保して下方に設ける必要がある。しかしながら、最上段の引出し体８を収めた状態では、寸法ｈを高さとする空間がデッドスペースとなり、コーナー部７２に内設される引出しの数が限られ、収納空間を有効に使えないという問題がある。
【０００５】
上記問題を解決するためには、引出し体８を収めた状態で上記寸法ｈをできるだけ小さくし、引出し体８を引き出したときのみ寸法ｈを確保すればよく、そこで、引出し体８の内部を上下２段に区分けし、引き出すときは上段引出しのみをスライド自在に引き出し、収めるときは２段に戻して収納する引出しの構造が提案されている。
【特許文献１】特開２００２−２３８６８３号公報（第１−３頁、第１〜３図）
【発明の開示】
【発明が解決しようとする課題】
【０００６】
しかしながら、上記特許文献第１〜３図から明らかなように、上記引出し構造は構成部品が多いため製造工程における作業性が悪く、また、使い勝手が悪いという問題がある。本発明はこのような問題を解決して、構造が簡単で、工程を少なくして作業性よく製造できるとともに、使用者においては、引出し体を使い勝手よく斜め下方に引き出せるＬ型キッチンキャビネットの引出し構造を提供することを、その課題とする。
【課題を解決するための手段】
【０００７】
上記した課題を解決するために、本発明においては、つぎのような技術的手段を講じている。すなわち、本発明によれば、Ｌ型キッチンキャビネットのコーナー部に内設される引出しの構造であって、該引出し構造は前下がりに傾斜して設けられた複数対の左右スライドレールと該左右スライドレールに係合手段を介してスライド自在に取り付けられる各引出し体とからなり、上記スライドレールはその奥側に係止手段が設けられ、その前端部にストッパが設けられるとともに、上記引出し体は斜め下方に引き出したとき係止が解除され、上記ストッパで阻止されるまで引き出せるようにされたＬ型キッチンキャビネットの引出し構造が提供される。
【０００８】
上記係止手段が左右スライドレールの奥側に突設された突起部であるとともに、上記ストッパが左右スライドレールの前端部を閉じて形成されたものとすることが好ましい。
【０００９】
上記引出し体が最上段に設けられるとともに、斜め下方に引出して使用されるものとすることが好ましい。また、最上段に限定されず、上記引出し体の少なくとも一段が斜め下方に引出して使用されるものとしてもよい。さらに、上記引出し体の全段が斜め下方に引出して使用されるものとしてもよい。
【発明の効果】
【００１０】
請求項１に記載の発明は上記のとおりであり、複数対の左右スライドレールに係合手段を介してスライド自在に取り付けられる各引出し体とからなり、上記引出し体を斜め下方に引出したとき係止が解除され、上記ストッパで阻止されるまで引き出せるため、引出し体から収納物を取り出すときのみ人の手が入る空間を確保できるとともに、引出し体を収めるときは、収納空間を無駄に使用することを防ぐ。その結果、Ｌ型キッチンキャビネットのコーナー部の収納空間を有効に利用することができる。
【００１１】
上記係止手段が左右スライドレールの奥側に突設された突起部とされるとともに、上記ストッパが左右スライドレールの前端部を閉じて設けられているため、引出し体を収めた状態ではしっかりと係止され、引出し体を斜め下方に引いて上記左右の突起部による係止を解除すると左右スライドレールの前端部に設けられたストッパによって阻止されるまで使い勝手よく引き出すことができる。
【００１２】
上記引出し体を最上段に設け、斜め下方に引出し可能とされているため、引き出したときのみ、キッチンカウンターの裏面と最上段の引出し体との間に人の手が入るための空間を確保できるとともに、引出し体を収めた状態では引出し体とキッチンカウンターの裏面との距離を短くすることが可能となり、その結果、コーナー部の収納空間を有効に利用することができる。
【００１３】
上記引出し体の少なくとも一段を斜め下方に引出し可能とすることにより、上記と同様にコーナー部の収納空間を有効に利用することができる。さらに、上記引出し体の全段を斜め下方に引出し可能とすることにより、上記と同様にコーナー部の収納空間を有効に利用することができる。
【発明を実施するための最良の形態】
【００１４】
以下、本発明の実施形態について図面を参照して、詳細に説明する。図１は、本発明にかかるＬ型キッチンキャビネットの引出し構造を構成する左右スライドレールを示す一部破断斜視図である。図１からよくわかるように、左スライドレール１１は、Ｌ型キッチンキャビネット７のコーナー部７２を仕切る仕切り板５に前下がりに傾斜して固定されるとともに、右スライドレール１２はコーナー部７２を構成するＬ型キッチンキャビネット７の背板７３に前下がりに傾斜して固定される。なお、前出のように符号７１はキッチンカウンターを、符号６は開閉扉を表す。
【００１５】
図２は上記図１におけるＡ−Ａ線に沿う正面図である。図２によく示されているように、上記右スライドレール１２の奥側には係止手段としての右突起部１２１が突設され、また斜設されたスライドレール１２の前端部は閉じられ右ストッパ１２２とされている。
【００１６】
図３は、図１に示す左スライドレール１１と右スライドレール１２との間にスライド自在に取り付けられる引出し体２を示す斜視図である。図３からよくわかるように、把手４を備えた引出し体２の右側板２１には右スライドレール１２とスライド自在に係合する係合手段としての右下部ガイドロール３１と右上部ガイドロール３２とが設けられ、両者を結ぶ勾配は右スライドレール１２の傾斜勾配と同一とされている。なお、図示しないが、引出し体２の左側板にも同様な位置関係で左下部ガイドロールと左上部ガイドロールとが配設されている。このようにすることにより、引出し体２は左右スライドレール１１、１２の傾斜に沿ってスライド自在に取り付けられる。
【００１７】
上記引出し体２を収める場合は、図２に示す右スライドレール１２に突設された右突起部１２１と左スライドレール１１に突設された図外の左突起部とを右上部ガイドロール３２と図外の左上部ガイドロールとが乗り越すように把手４を押し込めば、引出し体２は上記左右２つの突起部によってしっかりと係止される。
【００１８】
一方、引出し体２に収納された収納物を取り出すときは、把手４を引いて上記左右２つの突起部を手前に乗り越えて係止を解除するとともに、斜め下方に引き出す。このとき、引出し体２は右スライドレール１２の前端部に形成された右ストッパ１２２と左スライドレール１１の前端部に形成された図外左ストッパとによって阻止されるまで斜め下方に引き出され、収納物を取り出すことができる。
【００１９】
図４は、図３に示す引出し体２をＬ型キッチンキャビネット７のコーナー部７２に４段に取り付け、収めた状態を示す側断面図である。図５は、上記引出し体２を斜め下方に引き出し、収納物を取り出す状態を示す側断面図である。図４、図５からよくわかるように、引出し体２は把手４を引いて係止を解除することにより左右スライドレール１１、１２に沿ってスライド自在となるため、簡単に斜め下方に引き出すことができる。したがって、収納物を取り出すための人の手が入る前出の寸法ｈを高さとする空間を容易に確保できるとともに、収めた状態ではコーナー部７２の空間を有効に利用することができる。その結果、コーナー部７２の収納空間に図７に示す従来技術により設けられる引出し体８よりも多数の引出し体２を取り付けることができる。
【図面の簡単な説明】
【００２０】
【図１】本発明のＬ型キッチンキャビネットの引出し構造を構成する左右スライドレールを示す一部破断斜視図である。
【図２】図１におけるＡ−Ａ線に沿う正面図である。
【図３】本発明にかかる引出し体を示す斜視図である
【図４】引出し体をＬ型キッチンキャビネットのコーナー部に取り付け、収めた状態を示す側断面図である。
【図５】図４における引出し体を斜め下方に引き出した状態を示す側断面図である。
【図６】公知のＬ型キッチンキャビネットを示す平面図である。
【図７】図６におけるＢ−Ｂ線に沿う側断面説明図である。
【符号の説明】
【００２１】
１１        左スライドレール
１２        右スライドレール
１２１      右突起部
１２２      右ストッパ
２          引出し体
２１        右側板
３１        右下部ガイドロール
３２        右上部ガイドロール
４          把手
５          仕切り板
６          開閉扉
７          キッチンキャビネット
７１        キッチンカウンター
７２        コーナー部
７３        背板
８          公知の引出し体
９１        公知の引出し体を支持する左支持手段
９２        公知の引出し体を支持する右支持手段
【図１】
2006149726.tif 000003
【図２】
2006149726.tif 000004
【図３】
2006149726.tif 000005
【図４】
2006149726.tif 000006
【図５】
2006149726.tif 000007
【図６】
2006149726.tif 000008
【図７】
2006149726.tif 000009